(57)【要約】      （修正有）【課題】使用者が家のスペースの状況の変化や室内装飾の需要に応じて収納領域を変化させることができる吊棚を提供する。【解決手段】複数の上物置スペース１１を具える上棚１と、複数の下物置スペース２１を具える二つの下棚２とによってなる。二つの下棚上端の一辺は、それぞれ、上棚の両側の下辺に連結され、その連結箇所は、上棚と下棚を折り曲げるための折り線３を形成し、下棚の上端の他辺と上棚の下面の間には第一固定構造が設けられるとともに、下棚の側面と上棚の側面の間には第二固定構造が設けられ、下棚の上端面と上棚の下端面を接触させた時は、第一固定構造によって上棚と下棚は固定され、下棚を回転させて上棚の側辺に配置させた時は、第二固定構造によって上棚と下棚が固定される。【選択図】図１
0003160836.tif 000002
【実用新案登録請求の範囲】
【請求項１】
複数の上物置スペースを具える上棚と、複数の下物置スペースを具える二つの下棚とによってなる、収納領域を変化させることができる吊棚において、
二つの下棚上端の一辺は、それぞれ、上棚の両側の下辺に連結され、
その連結箇所は、上棚と下棚を折り曲げるための折り線を形成し、下棚の上端の他辺と上棚の下面の間には第一固定構造が設けられるとともに、下棚の側面と上棚の側面の間には第二固定構造が設けられ、下棚の上端面と上棚の下端面を接触させた時は、第一固定構造によって上棚と下棚が固定され、下棚を回転させて上棚の側辺に配置させた時は、第二固定構造によって上棚と下棚が固定されることを特徴とする、収納領域を変化させることができる吊棚。
【請求項２】
前述の第一固定構造は、上棚の下端面に設けられた複数の第一スリーブと、下棚の上端の一辺に設けられた複数の第二スリーブとによってなり、第一スリーブと第二スリーブは互い違いに設けられ、下棚の上端面と上棚の下端面が接触した際、第一スリーブと第二スリーブは一直線上に配列し、バーを第一スリーブと第二スリーブに通すことにより、上棚と下棚が固定され、
前述の第二固定構造は、上棚の側面に設けられた複数の面ファスナーと、下棚の側面に設けられた複数の面ファスナーとによってなり、下棚が上棚の側辺に配置された時、面ファスナー同士を相互に貼り合わせることで、上棚と下棚が固定されることを特徴とする、請求項１に記載の収納領域を変化させることができる吊棚。
【請求項３】
前述の第一固定構造は、上物置スペースの底面に設けられた少なくとも一つの面ファスナーと、下棚上端の一辺に設けられた少なくとも一つの延長部材とによってなり、延長部材には面ファスナーが設けられ、下棚の上端面と上棚の下端面が接触した際、延長部材をひっくり返して上棚の上物置スペースに配置させ、面ファスナー同士を相互に貼りあわせると、上棚と下棚が固定され、
前述の第二固定構造は、上棚側面に設けられた複数の面ファスナーと、下棚側面に設けられた複数の面ファスナーとによってなり、下棚が上棚の側辺に配置された時、面ファスナー同士を貼りあわせることで、上棚と下棚が固定されることを特徴とする、請求項１に記載の収納領域を変化させることができる吊棚。
【考案の詳細な説明】
【技術分野】
【０００１】
本考案は組立てが容易で収納領域を簡単に変化させることができ、衣服や物品が収納可能な収納装置に関する。
【背景技術】
【０００２】
家の中のスペースが大きくない国や地域では、物を収納する棚を置くスペースも制限される。従って、限られたスペースを利用して衣服や小物を置くことができる吊棚は、消費者の幅広い支持を受けている。一般的な簡易型吊棚は、充分な強度と可撓性を具えた布地からなる。その構造は、上、下、左、右と後面に、面材が均等に設けられ、前方だけが開放された状態にされ、複数のパーティションによって複数の物置スペースを形成させている。吊棚の上方には孔が設けられ、フックを用いることで、クローゼット内や壁のバーに吊るすことができる。また、吊棚の上方に面ファスナーを設け、クローゼット内やクローゼットのバーに貼り合わせることもできる。
【０００３】
しかしながら、従来の吊棚は固定式であり、使用者は、家のスペースの状況の変化や室内装飾の需要に応じて収納領域を変化させることができない。
【考案の概要】
【考案が解決しようとする課題】
【０００４】
以上の問題点に鑑み、本考案は、使用者が家のスペースの状況の変化や室内装飾の需要に応じて収納領域を変化させることができる吊棚を提供することを目的とする。
【課題を解決するための手段】
【０００５】
本考案の吊棚は、それぞれ独立した上棚と下棚とによってなる。上棚と下棚の間は連結され、連結箇所は折り線が形成され折り曲げることができ、上棚と下棚を折り曲げることで、異なるタイプ吊棚に変化させることができる。折り曲げた後、第一固定構造によって、上、下棚を第一形態で固定することも、第二固定構造によって、上、下棚を第二形態で固定することもできる。
【図面の簡単な説明】
【０００６】
【図１】本考案の実施例１の構造を示した斜視図である。
【図１Ａ】図１の１Ａ領域の構造を示した拡大図である。
【図２】本考案の下棚と上棚の固定を解除した後に回転させる動作を示した説明図である。
【図３】図２の下棚を１８０°回転させた後に、上棚の両側に配置させた状態を示した説明図である。
【図４】本考案の実施例２の構造を示した斜視図である。
【図５】本考案の実施例３の構造を示した斜視図である。
【図６】本考案の実施例４の構造を示した斜視図である。
【図７】図６の下棚と上棚の固定を解除した後に回転させた際の動作を示した説明図である。
【図８】本考案の実施例５の構造を示した斜視図である。
【図８Ａ】図８の８Ａ領域の構造を示した拡大図である。
【考案を実施するための形態】
【０００７】
（実施例１と実施例２）
図１と図１Ａに示すように、本考案の実施例１は、複数の上物置スペース１１を具える上棚１と、複数の下物置スペース２１を具える二つの下棚２とによってなる。二つの下棚２上端の一辺は、それぞれ、機械縫いで上棚１の両側の下辺に連結される。その連結箇所は折り線３を形成し、折り線３によって上棚１と下棚２は折り曲げられる。上棚１と下棚２の間の第一固定構造においては、上棚１の下面に複数の第一スリーブ１２が設けられ、下棚２上端の他辺に複数の第二スリーブ２２が設けられ、第一スリーブ１２と第二スリーブ２２は互い違いに設けられる。下棚２の上端面と上棚１の下端面が接触する時、第一スリーブ１２と第二スリーブ２２は一直線上に配列し、バー５を第一スリーブ１２と第二スリーブ２２に通すと、上棚１と下棚２が門型形状に固定される。上棚１と下棚２の間の第二固定構造においては、上棚１の側面に複数の面ファスナー４Ａが設けられるとともに、下棚２上端の他辺には複数の面ファスナー４Ｂが設けられ、バー５を第一スリーブ１２と第二スリーブ２２から引き抜いて、上、下棚の固定を解除した後、折り線３を基準にして、下棚２を上棚１に対して１８０°回転させると（図２に図示）、二つの下棚２はそれぞれ上棚１の両側に配置されるとともに、面ファスナー４Ａと面ファスナー４Ｂが相互に貼り合わせられることにより上棚１と下棚２は逆門型形状に固定される（図３と図４に図示）。図３と図４に示す実施例２においては、下棚２の下端面に下スリーブ２３が設けられ、下棚２を回転させて上棚１の両側に配置させた後、バーを下スリーブ２３に通すことで吊棚を吊るすことができる。また、上棚１と下棚２を直接地面に置いて、テレビ棚として使用することもできる。
【０００８】
（実施例３）
図５に示す実施例３においては、上棚１の上端面に上スリーブ１３が設けられ、バー６を上スリーブ１３に通すことで吊棚を吊るすことができる。また、二つの下棚２の対向する面にはアクティブバー７が設けられ、衣服を吊るすことができる。
【０００９】
（実施例４）
図６と図７に示す実施例４においては、異なるサイズの吊棚を用いる。また、上棚１の底面と下棚２の頂面に、それぞれ面ファスナー４Ａ２と面ファスナー４Ｂ２が設けられ、上棚１の底面と下棚２の頂面が接触した際に相互に貼りあわされて固定される。
【００１０】
（実施例５）
図８と図８Ａに示す実施例５において、第一固定構造は、上棚１の上物置スペース１１底面に設けられた少なくとも一つの面ファスナー４Ａ１と、下棚２上端の一辺に設けられた少なくとも一つの延長部材２４とによってなる。延長部材２４の一面には面ファスナー４Ｂ１が設けられ、下棚２の上端面と上棚１の下端面が接触する際、延長部材２４をひっくり返して上棚１の上物置スペース１１に配置させると、面ファスナー４Ｂ１と面ファスナー４Ａ１が相互に貼りあわされ、上棚１と下棚２が固定される。本実施例の第二固定構造は、上棚１側面に設けられた複数の面ファスナー４Ａと、下棚２の側面に設けられた複数の面ファスナー４Ｂとによってなり、下棚２を１８０°回転させ上棚１の側辺に配置させた時、面ファスナー４Ｂと面ファスナー４Ａが相互に貼りあわされ、上棚１と下棚２は逆門型形状に固定される。
【符号の説明】
【００１１】
１        上棚
１１      上物置スペース
１２      第一スリーブ
１３      上スリーブ
２        下棚
２１      下物置スペース
２２      第二スリーブ
２３      下スリーブ
２４      延長部材
３        折り線
４Ａ、４Ａ１、４Ａ２      面ファスナー
４Ｂ、４Ｂ１、４Ａ２      面ファスナー
５      バー
６      バー
７      アクティブバー
【図１】
0003160836.tif 000003
【図１Ａ】
0003160836.tif 000004
【図２】
0003160836.tif 000005
【図３】
0003160836.tif 000006
【図４】
0003160836.tif 000007
【図５】
0003160836.tif 000008
【図６】
0003160836.tif 000009
【図７】
0003160836.tif 000010
【図８】
0003160836.tif 000011
【図８Ａ】
0003160836.tif 000012